(57)【要約】  【課題】構成部品の部品点数を削減することができ、一層の小型化及びコストダウンを達成できる読取記録装置を提供する。  【解決手段】記録手段１０５によりシート材に記録を行う記録部１００と、読取手段２０３により原稿を読み取る読取部２００と、を備えた読取記録装置において、記録手段１０５を移動させるためのモータやタイミングベルト等の駆動及び駆動伝動手段と読取手段２０３を移動させるためのモータやタイミングベルト等の駆動及び駆動伝動手段の少なくとも一部を共用する。【選択図】                図１
2005294906.tif 000002
【特許請求の範囲】
【請求項１】
記録手段によりシート材に記録を行う記録部と、読取手段により原稿を読み取る読取部と、を備えた読取記録装置において、前記記録手段を移動させるための駆動及び駆動伝動手段と前記読取手段を移動させるための駆動及び駆動伝動手段の少なくとも一部を共用することを特徴とする読取記録装置。
【請求項２】
前記記録手段の電気接続手段及と前記読取手段の電気接続手段の少なくとも一部を共用することを特徴とする請求項１に記載の読取記録装置。
【請求項３】
前記記録部のフレーム部材と前記読取部のフレーム部材の少なくとも一部を共用することを特徴とする請求項１又は２に記載の読取記録装置。
【請求項４】
前記記録手段及び前記読取手段の移動の際に、両者を連結して移動させることを特徴とする請求項１〜３のいずれかに記載の読取記録装置。
【請求項５】
前記記録手段及び前記読取手段の移動の際に、両者の駆動伝動手段を連結することを特徴とする請求項１〜４のいずれかに記載の読取記録装置。
【請求項６】
前記記録手段及び前記読取手段の移動の際に、両者は互いに逆方向に移動する位置で駆動連結されることを特徴とする請求項１〜４のいずれかに記載の読取記録装置。
【請求項７】
前記記録手段及び前記読取手段を移動させるための駆動手段は、位置検出に基づいて制御されるモータであることを特徴とする請求項１〜６のいずれかに記載の読取記録装置。
【請求項８】
前記記録手段及び前記読取手段を移動させるための駆動伝動手段は、ベルト又はワイヤにより駆動力を伝達することを特徴とする請求項１〜７のいずれかに記載の読取記録装置。
【請求項９】
前記電気接続手段は、フレキシブルケーブル又はフラットケーブル等の可撓性ケーブルで構成されることを特徴とする請求項２〜８のいずれかに記載の読取記録装置。
【請求項１０】
前記シート材の厚さに応じて前記記録手段を該シート材の厚み方向に移動させるための移動手段を有することを特徴とする請求項１〜９のいずれかに記載の読取記録装置。
【発明の詳細な説明】
【技術分野】
【０００１】
本発明は、プリンタ、複写機、印刷装置、ファクシミリ及びスキャナ等を含む画像形成装置及び画像読取装置等において、記録部と読取部とを備えた読取記録装置に関する。
【背景技術】
【０００２】
プリンタ、複写機、印刷装置、ファクシミリ及びスキャナ等を含む画像形成装置から成る記録部と、原稿を読み取る画像読取装置等から成る読取部とを備えた読取記録装置として、一体型の外装の内部に、記録部（記録装置）の上部に読取部（フラットベットスキャナ等の読取装置）を配置した構成体を収容したものが使用されている。上記記録部は、カセットに積載された被記録材（記録媒体）としてのシート材を給紙機構によって記録領域へ給送し、記録領域で移動（走査）可能に装着された記録ヘッドを画像情報に基づいて駆動することによりシート材に記録し、記録されたシート材を排紙トレイ等の排紙領域へ排出するように構成されている。一方、上記読取部は、ＣＣＤセンサ等を有する読取手段によって原稿台上の原稿を読み取り、読み取った画像情報を取り出し可能な状態で蓄積するように構成されている。そして、記録部と該記録部の上面部に装着される読取部とを重ね合わせた状態で一体型の外装の内部に配設することにより、読取記録装置が構成されている。
【０００３】
図４は上述の読取記録装置の全体構成の外観を示す模式的斜視図であり、図５は図４の読取記録装置の記録部の内部構成を示す模式的斜視図であり、図６は図４の読取記録装置において原稿カバーを外して読取部の内部構成を示す模式的平面図である。図４〜図６の読取記録装置は１つの外装で記録部と読取部を覆った構成を有している。図４において、１００は記録部、２００は読取部、１０１は記録のためのシート材を積載するカセット、１０２は排出されたシート材を受けるための排紙領域であり、２０１は読取部で読み取るための原稿を載置するための原稿台（原稿載置台）、２０２は原稿台上の原稿を覆って保持するための原稿カバーである。
【０００４】
図４及び図５において、給紙機構の給紙ローラ（不図示）を駆動することによりカセット１０１内から分離給送された１枚のシート材は、複数の中間ローラ（不図示）によって、キャリッジ１０４に搭載された記録手段１０５に対向する位置に設置されたプラテン１０６上にＵターン搬送される。キャリッジ１０４は、キャリッジモータ１０７の駆動をタイミングベルト１０８を介して受けることで駆動され、ガイドシャフト１０９及びガイドレール１１０に沿って主走査方向（図示の例ではシート材搬送方向と交差する方向）に往復駆動される。キャリッジ１０４に搭載された記録手段１０５は、該キャリッジの背面側に設けられたキャリッジ基板１１４を介して可撓性ケーブル（フレキシブルケーブル）１１１により、装置本体側に装着された制御基板１５０と接続されている。そして、キャリッジ１０４の位置制御に同期して記録手段１０５を記録データに基づいて駆動することにより、プラテン１０６上のシート材に画像が記録される。
【０００５】
キャリッジモータ１０７としては、ＤＣモータやステッピングモータなどが使用される。そして、キャリッジ１０７の位置制御においては、装置本体側に設置されたリニアスケール１１２のスリット（１インチあたり３００スリット等）をキャリッジ基板１１４上のエンコーダセンサ（不図示）で検知することによりフィードバック制御を行っている。このような制御により、キャリッジ１０４の正確な速度（位置）制御と低速から高速までの静かで安定した駆動とを可能としている。また、キャリッジ１０４は、種々の厚さのシート材に対する記録を可能とするため、昇降可能に構成されている。キャリッジ１０４及び記録手段１０５の昇降は、昇降モータ１１３で駆動されるカム手段によりガイドシャフト１０９を矢印Ｚ方向に昇降させることで行われる。すなわち、シート材の厚さに応じて記録手段１０５を該シート材の厚み方向に移動させるための移動手段が設けられている。
【０００６】
以上により、１ラインずつの記録とシート材の搬送とを交互に繰り返すことでシート材全体に対する記録を行い、記録されたシート材を排紙領域１０２へ排紙する構成の記録部１００が構成されている。図４及び図６において、読取部２００の上面には、ガラス板等で構成された原稿台（原稿載置台）２０１と、原稿を覆うための開閉可能な原稿カバー２０２とが設けられている。原稿台２０１の下部には、ガイドシャフト２０４に沿って往復移動可能に案内支持された読取ユニット２０３が設けられている。
【０００７】
この読取ユニット２０３は、その両端部でをガイドレール（不図示）によって案内支持されている。読取ユニット２０３にはＣＣＤセンサ等の読取手段が搭載されており、該読取ユニット２０３は、可撓性ケーブル２０７から成る電気接続手段によって装置本体側の制御基板（記録部と共通）に接続され、読取モータ２０５の駆動によりタイミングベルト２０６を介して移動することで原稿の全体を読み取るように構成されている。読取モータ２０５としてはＤＣモータやステッピングモータなどが使用される。制御容易性の点ではステッピングモータに分が有り、精度及び静粛性の点ではＤＣモータに分が有る。以上により、原稿からの読み取りデータ、並びにホスト機器から送られるデータに基づく記録が可能な読取記録装置が構成されている。
【０００８】
以上図４〜図６を用いて説明した読取記録装置においては、キャリッジ１０４とともに記録手段１０５を移動させるための駆動手段（キャリッジモータ）１０７、並びに読取手段（読取ユニット）２０３を移動させるための駆動手段（読取モータ）２０５は、いずれも、エンコーダセンサ等による位置検出に基づいて制御されるモータで構成されている。また、上記記録手段１０５を移動させるための駆動伝動手段、並びに上記読取手段２０３を移動させるための駆動伝動手段は、いずれも、図示のようなタイミングベルト１０８、２０６もしくはワイヤ（不図示）により駆動力を伝達するように構成されている。さらに、上記記録手段１０５と制御基板１５０を電気的に接続するための電気接続手段、並びに上記読取手段２０３と制御基板１５０を電気的に接続するための電気接続手段は、いずれも可撓性ケーブルで構成されている。このような読取記録装置は、例えば特開２００４−２５５８８号公報に記載されている。
【特許文献１】特開２００４−２５５８８号公報
【発明の開示】
【発明が解決しようとする課題】
【０００９】
このように記録部と読取部を一体型の外装の内部に配置した従来の読取記録装置においては、外装や制御基板を記録部と読取部とで共通化することによるコストダウンは期待できるものの、装置全体のサイズ（体積等）としては、記録装置及び読取装置の両装置を重ねたサイズとほぼ同じであった。また、部品点数や構成の複雑さの点でも、両装置をそのまま重ね合わせたものと大差なく、更なるコストダウンや装置構成の簡略化の要請に応えるのが困難であった。本発明はこのような技術的課題を解決するためになされたものであり、本発明の目的は、構成部品の部品点数を削減することができ、一層の小型化及びコストダウンを達成できる読取記録装置を提供することである。
【課題を解決するための手段】
【００１０】
本発明は、上記目的を達成するため、記録手段によりシート材に記録を行う記録部と、読取手段により原稿を読み取る読取部と、を備えた読取記録装置において、前記記録手段を移動させるための駆動及び駆動伝動手段と前記読取手段を移動させるための駆動及び駆動伝動手段の少なくとも一部を共用することを特徴とする。
【発明の効果】
【００１１】
本発明の読取記録装置によれば、記録手段を移動させるための駆動及び駆動伝動手段と読取手段を移動させるための駆動及び駆動伝動手段の少なくとも一部を共用するように構成するので、構成部品の部品点数を削減することができ、一層の小型化及びコストダウンを達成できる読取記録装置が提供される。
【発明を実施するための最良の形態】
【００１２】
以下、図面を参照して本発明の実施形態を具体的に説明する。なお、各図面を通して同一符号は同一又は対応部分を示すものである。図１は本発明による読取記録装置の第１の実施形態の要部構成を示す模式的斜視図である。図１において、１００は記録部、２００は読取部、１０１は記録のためのシート材を積載するカセット、１０２は排出されたシート材を受けるための排紙領域である。図１の読取記録装置においても、読取部２００の上面には、図４の場合と同様、読取部で読み取るための原稿を載置するための原稿台（原稿載置台）２０１、原稿台上の原稿を覆って保持するための原稿カバー２０２が設けられている。
【００１３】
以下、本実施形態の記録部１００及び読取部２００の特徴的な構成について詳細に説明する。なお、本実施形態は、以下に説明する点を除いて、図４〜図６で説明した記録部１００及び読取部２００と実質的に同じ構成を有しており、それぞれ対応する部分が同一符号で示されている。図１において、記録部１００のキャリッジ１０４の上部に嵌合穴１２１が形成され、昇降モータ１１３によるガイドシャフト１０９の昇降範囲が図５の場合よりも拡大され、その分キャリッジ１０４の昇降範囲が拡大されている。読取部２００の読取ユニット２０３の下部には嵌合ピン２２１が設けられており、キャリッジ１０４と読取ユニット２０３が平面上で重なる位置にあるときに該キャリッジ１０４を上昇させることにより、嵌合穴１２１と嵌合ピン２２１とを嵌合させ得るように構成されている。
【００１４】
また、図１の構成では、記録部１００の構造体であるフレーム（フレーム部材）を用いて、キャリッジ１０４の平行移動を案内するための２本のガイドレール１２２、１２３が形成されている。これらのガイドレール１２２、１２３は、装置本体の前後方向に所定間隔の位置に形成されており、キャリッジ１０４の移動をより安定的に案内支持できるように配置されている。そして、図１の構成では、図５中のガイドレール１１０、並びに図６中の読取モータ２０５、ガイドシャフト２０４及びタイミングベルト２０６が削減されている。
【００１５】
図１の第１の実施形態の動作は次のとおりである。記録の際には図４〜図６の場合と同様の動作によってシート材に対する記録が行われる。一方、読取の際には、読取ユニット２０３が規定位置（例えばシート材又は原稿の基準側のホームポジションなど）にあるときに、記録部１００のキャリッジ１０４を同じ規定位置に位置させるとともに昇降手段（昇降モータ１１３）により上昇させ、キャリッジ１０４の嵌合穴１２１と読取ユニット２０３の嵌合ピンを嵌合させる。これにより記録部１００のキャリッジ１０４と読取部２００の読取ユニット２０３が連結され、記録部１００のキャリッジモータ１０７の駆動により、キャリッジ１０４と読取ユニット２０３を移動させることができる。この場合、読取ユニット２０３の位置及び速度は、記録部１００側のキャリッジモータ（例えばＤＣモータ）１０７とキャリッジ１０４上のエンゴーダセンサによって制御される。従って、記録部１００のキャリッジ駆動系のみによって、キャリッジ１０４と読取ユニット２０３の両方を高精度でしかも静粛に駆動することが可能となる。
【００１６】
また、一般的に、記録の際のキャリッジ移動速度は、印刷時間短縮の観点から例えば毎秒４０インチ程度の高速モードに設定されるのに対し、読取手段（読取ユニット）２０３の移動速度は、安定した読取を行うために、記録用のキャリッジ移動速度よりも大幅に低い低速モードに設定される。そのため、キャリッジ１０４と読取ユニット２０３が連結されて移動時の慣性質量（重量）が増大した構成においても、共通の駆動源であるキャリッジモータ１０７の出力を増大する必要がなく、キャリッジモータで十分対応可能であり、その他の部品点数の削減と相まって大幅なコストダウンを図ることができる。
【００１７】
以上の構成によって読取ユニット２０３の１スキャンで原稿の読取を完了し、読取を終了する場合には、上記の読取開始時とは逆に、上記規定位置でキャリッジ１０４を下降させることで、キャリッジ１０４と読取ユニット２０３が分離され、キャリッジ１０４を移動させることでシート材に対する記録が実行される。本実施形態においても、被記録材としてのシート材の厚さに応じて記録手段１０５を該シート材の厚み方向に移動させるための移動手段が設けられており、上記キャリッジ１０４と上記読取手段２０３との分離連結（嵌合穴１２１と嵌合ピン２２１との嵌合離脱）は該移動手段を利用して実行される。
【００１８】
以上説明した第１の実施形態においては、記録手段１０５を移動させるための駆動及び駆動伝動手段と、読取手段２０３を移動させるための駆動及び駆動伝動手段の全部又は一部を共用するように構成されている。また、本実施形態では、記録手段１０５及び読取手段２０３の移動の際に、両者を連結して移動させるように構成されている。さらに、記録部１００の構造体であるフレーム部材に読取部２００の読取手段２０３の移動を案内支持するためのガイドレール１２２、１２３が形成されており、従って、記録部１００のフレーム部材と読取部２００のフレーム部材の少なくとも一部が共用されている。
【００１９】
また、本実施形態においては、記録手段１０５及び読取手段２０３を移動させるための駆動手段（キャリッジモータ１０７）は、エンコーダセンサ等による位置検出に基づいて制御されるモータで構成されている。さらに、記録手段及び読取手段を移動させるための駆動伝動手段として、ベルト又はワイヤにより駆動力を伝達する構成のものが使用されている。また、記録手段並びに読取手段の電気接続手段としては、フレキシブルケーブル又はフラットケーブル等の可撓性ケーブルが用いられいる。
【００２０】
従って、本実施形態によれば、読取手段（読取ユニット）２０３を駆動するための多くの部品（例えば読取モータ２０５、タイミングベルト２０６、ガイドシャフト２０４等）を削減することが可能となり、構成部品の部品点数を削減することにより、大幅な小型化及び大幅なコストダウンを達成することができる。また、読取ユニット２０３の移動においても、記録部１００と同様のＤＣモータとエンゴーダによるフィードバック制御が可能となるため、高精度で静粛な駆動を容易に実現することができる。
【００２１】
なお、本実施形態では、記録部１００側のキャリッジモータ１０７によってキャリッジ１０４及び読取ユニット２０３を駆動する場合を例示したが、これは、読取部２００側の読取モータ２０５によってキャリッジ１０４及び読取ユニット２０３を駆動するように構成しても同様の作用効果が得られる。また、別のモータによって、読取ユニット２０３の駆動、あるいはキャリッジ１０４及び読取ユニット２０３の両方の駆動を行うように構成しても同様の作用効果が得られる。さらに、キャリッジ１０４と読取手段（読取ユニット）２０３を連結する構成についても、キャリッジの昇降によるピンと穴の嵌合に限定されるものではなく、他の部材又は構成を用いた種々の連結機構を適宜採用することができる。
【００２２】
図２は本発明による読取記録装置の第２の実施形態のキャリッジ上部及び読取ユニット下部の詳細を示す模式的部分斜視図である。以下に、図２を用いて、第２の実施形態の記録部１００及び読取部２００の特徴的な構成について詳細に説明する。なお、本実施形態は、以下に説明する点を除いて、図４〜図６で説明した記録部１００及び読取部２００と実質的に同じ構成を有しており、それぞれ対応する部分が同一符号で示されている。図２において、図１の場合と同様に、記録部１００のキャリッジ１０４の上部に嵌合穴１２１が形成されており、読取ユニット２０３の下部には、キャリッジ１０４上の上記嵌合穴１２１と嵌合可能な嵌合ピン２２１が設けられている。そして、昇降モータ１１３によるガイドシャフト１０９の昇降範囲の拡大によってキャリッジ１０４の昇降範囲が図５の場合よりも拡大されている。すなわち、第２の実施形態においても、キャリッジ１０４と読取ユニット２０３が平面上で重なる位置にあるときに該キャリッジ１０４を上昇させることにより、嵌合穴１２１と嵌合ピン２２１とを嵌合させ得るように構成されている。
【００２３】
図２において、記録部１００のキャリッジ１０４には記録手段１０５が搭載されており、また、該キャリッジ１０４の背面側（後面側）には回路基板（キャリッジ基板）１１４が設けられている。キャリッジ１０４上の回路基板１１４には、装置本体側の制御基板１５０に接続されるフレキシブルケーブル１１１のコネクタ、並びにキャリッジ１０４の位置（速度）を制御するためのエンコーダセンサ（不図示）などが設けられている。そして、本実施形態においては、さらに、キャリッジ基板１１４上に上向きのコネクタ１３１が設けられている。一方、読取ユニット２０３の下面には、電気接続部としてのコネクタ２３１が設けられている。そして、キャリッジ基板１１４上のコネクタ１３１と読取ユニット２０３のコネクタ２３１は、読取ユニット２０３とキャリッジ１０４が所定の位置関係になる状態まで移動してきたときに互いに接触するように構成されている。
【００２４】
図２の第２の実施形態においては、図４〜図６の構成並びに図１の第１の実施形態で読取ユニット２０３の電気接続部と装置本体側の制御基板１５０とを接続していたフレキシブルケーブル（図６中の示す読取部２００側のフレキシブルケーブル）２０７が削除されている。つまり、読取ユニット２０３の電気接続部２３１は、記録部１００のキャリッジ１０４の回路基板１１４を介して、記録部１００側のフレキシブルケーブル１１１によって制御基板１５０と接続されている。本実施形態は、以上説明した点で、図４〜図６の読取記録装置、あるいは図１の第１の実施形態と相違するが、その他の点ではこれらの読取記録装置のいずれかと実質的に同じ構成を有している。
【００２５】
すなわち、第２の実施形態においては、記録手段１０５を移動させるための駆動及び駆動伝動手段と、読取手段２０３を移動させるための駆動及び駆動伝動手段の全部又は一部を共用し、記録手段１０５及び読取手段２０３の移動の際に、両者を連結して移動させることに加えて、記録手段１０５と制御基板１５０を電気的に結ぶフレキシブルケーブルやフラットケーブル等の可撓性ケーブルから成る電気接続手段、並びに読取手段２０３と制御基板１５０を電気的に結ぶフレキシブルケーブルやフラットケーブル等の可撓性ケーブルから成る電気接続手段の全部又は一部を共用する構成が採られている。
【００２６】
従って、第２の実施形態によれば、キャリッジ１０４の昇降によって該キャリッジ１０４と読取手段２０３が連結されると同時に、キャリッジ基板１１４上のコネクタ１３１と読取手段２０３のコネクタ（電気接続部）２３１が電気的に接続可能な構成を採るので、読取動作においても記録手段１０５で使用しているフレキシブルケーブル１１１を使って読取手段２０３への電力供給、制御及びデータ転送等を行うことが可能となり、第１の実施形態に比べて、さらに読取部２００で使用していたフレキシブルケーブル２０７を削減することができる。従って、本実施形態によれば、第１の実施形態の効果に加え、フレキシブルケーブルまでも共用することにより、さらなる小型化及びコストダウンを達成できるという効果が得られる。
【００２７】
図３は本発明による読取記録装置の第３の実施形態の記録部及び読取部の要部構成を示す模式的部分斜視図である。以下に、図３を用いて、第３の実施形態の記録部１００及び読取部２００の特徴的な構成について詳細に説明する。なお、本実施形態は、以下に説明する点を除いて、図４〜図６で説明した記録部１００及び読取部２００と実質的に同じ構成を有しており、それぞれ対応する部分が同一符号で示されている。図３において、キャリッジ１０４は前述の各実施形態の場合と同様にキャリッジモータ１０７及びタイミングベルト１０８によって駆動されるが、本実施形態では、読取手段としての読取ユニット２０３を、キャリッジモータ１０７の駆動をギア列を介して読取ユニット２０３の伝動機構に伝達することにより駆動するように構成されている。つまり、読取ユニット２０３は、キャリッジモータ１０７のキャリッジ駆動用プーリ１４１の駆動を、連結ギア（ギア列）１４２、１４３、１４４を介して読取ユニット駆動用プーリ２４１に伝達し、該プーリ２４１に巻回されたタイミングベルト２４２を介して駆動される（移動させられる）。
【００２８】
本実施形態においては、キャリッジ１０４の駆動と読取ユニット２０３との駆動を、連結ギア１４２、１４３、１４４によって、ギア比１：１で連結できるように構成されている。そして、複数（３個）の連結ギア１４２、１４３、１４４のうちのいずれか１個の連結ギアは、キャリッジ１０４の移動によるトリガー作用によって軸方向（スラスト方向）に移動可能に支持されている。そのため、キャリッジ１０４の移動を利用して移動可能な連結ギアを移動させることにより、キャリッジモータ１０７の駆動が常時伝達される状態と、読取ユニット駆動用プーリ２４１への駆動が遮断される状態とのいずれかに切り換えることができる。第３の実施形態は、以上説明した点で図４〜図６の読取記録装置と相違している。
【００２９】
すなわち、第３の実施形態においては、記録手段１０５を移動させるための駆動及び駆動伝動手段と、読取手段２０３を移動させるための駆動及び駆動伝動手段の全部又は一部を共用することに加えて、記録手段１０５及び読取手段２０３を移動させる際に、両者の駆動伝動手段（ギアやベルト等の駆動力伝達手段）を連結する構成、さらには、記録手段１０５及び読取手段２０３を移動させる際に、両者が互いに逆方向に移動する位置で（逆位相の位置で）駆動連結される構成が実施されている。
【００３０】
従って、第３の実施形態によれば、前述の各実施形態と同様に、読取ユニット２０３（読取部２００側）の読取モータ２０５等を削減することができる。そして、キャリッジ１０４と読取ユニット２０３が逆位相に位置するときに、連結ギア１４２、１４３、１４４を遮断状態から連結状態（駆動伝達状態）に切り換えることにより、キャリッジ１０４と読取ユニット２０３が互いに反対方向へ移動するように構成することができる。このように構成することで、両方の移動体を互いにバランサーとして機能させることができ、キャリッジ１０４あるいは読取手段２０３の移動時の加速による装置本体の揺れや振動を効果的に軽減させることができる。
【００３１】
すなわち、第３の実施形態によれば、第１の実施形態の場合と同様の効果が得られる他に、キャリッジ１０４と読取手段２０３のバランサー作用を利用して読取記録装置の揺れや振動を軽減できるという効果が得られる。なお、本実施形態では、キャリッジ１０４と読取ユニット２０３を連結ギアによって駆動連結する場合を例に挙げて説明したが、これに代えて、その他の種々の連結構成を採ることが可能である。例えば、読取部側のタイミングベルト上の読取ユニットと逆位相となる位置に、第１の実施形態及び第２の実施形態に示すような嵌合ピン形状を有する部品を固定し、この部品をキャリッジ側の嵌合穴に嵌合させることにより両者を連結するなどの構成を採用することができる。
【００３２】
なお、本発明は、記録部の記録手段として、インクジェット記録手段、レーザービーム記録手段、熱転写記録手段、感熱式記録手段、あるいはワイヤドット式記録手段など、いかなる記録方式の記録手段を使用する場合にも、同様に適用することができ、同様の作用効果を奏するものであり、これら全てをその範囲内に含むものである。また、本発明は、記録部の記録手段として、１個の記録ヘッドを用いる場合、異なる色のインクで記録する複数の記録ヘッドを用いる場合、あるいは同一色彩の異なる濃度で記録する複数の記録ヘッドを用いる場合、さらには、これらを組み合わせた記録手段を用いる場合にも、同様に適用することができ、同様の効果を達成し得るものである。
【００３３】
さらに、本発明は、記録部がインクジェット記録装置である場合、記録ヘッドとインクタンクを一体化した交換可能なインクカートリッジを用いる構成、記録ヘッドとインクタンクを別体にし、その間をインク供給用チューブ等で接続する構成など、記録ヘッドとインクタンクの配置構成がどのような場合にも同様に適用することができ、同様の効果が得られるものである。なお、本発明は、記録部がインクジェット記録装置である場合、例えば、ピエゾ素子等の電気機械変換体等を用いる記録手段を使用する場合にも適用できるが、中でも、熱エネルギーを利用してインクを吐出する方式の記録手段を使用する場合に特に優れた効果をもたらすものである。かかる方式によれば、記録の高密度化、高精細化が達成できるからである。
【図面の簡単な説明】
【００３４】
【図１】本発明による読取記録装置の第１の実施形態の要部構成を示す模式的斜視図である。
【図２】本発明による読取記録装置の第２の実施形態のキャリッジ上部及び読取ユニット下部の詳細を示す模式的部分斜視図である。
【図３】本発明による読取記録装置の第３の実施形態の記録部及び読取部の要部構成を示す模式的部分斜視図である。
【図４】本発明を適用する前の読取記録装置の全体構成の外観を示す模式的斜視図である。
【図５】図４の読取記録装置の記録部の内部構成を示す模式的斜視図である。
【図６】図４の読取記録装置において原稿カバーを外して読取部の内部構成を示す模式的平面図である。
【符号の説明】
【００３５】
１００      記録部
１０１      カセット
１０２      排紙領域
１０４      キャリッジ
１０５      記録手段（記録ヘッド）
１０６      プラテン
１０７      キャリッジモータ
１０８      タイミングベルト
１０９      ガイドシャフト
１１０      ガイドレール
１１１      フレキシブルケーブル
１１２      リニアスケール
１１３      昇降モータ
１１４      キャリッジ基板（回路基板）
１２１      嵌合穴
１２２、１２３    ガイドレール
１３１      キャリッジ基板の電気接続部（コネクタ）
１４１      キャリッジ駆動用プーリ
１４２、１４３、１４４    連結ギア
１５０      制御基板
２００      読取部
２０１      原稿台（原稿載置台）
２０２      原稿カバー
２０３      読取手段（読取ユニット）
２０４      ガイドシャフト
２０５      読取モータ
２０６      タイミングベルト
２０７      フレキシブルケーブル
２２１      嵌合ピン
２３１      読取手段の電気接続部（コネクタ）
２４１      読取手段（読取ユニット）駆動用プーリ
２４２      タイミングベルト
【図１】
2005294906.tif 000003
【図２】
2005294906.tif 000004
【図３】
2005294906.tif 000005
【図４】
2005294906.tif 000006
【図５】
2005294906.tif 000007
【図６】
2005294906.tif 000008